(57)【要約】【課題】電子機器において薄型化及び部品点数低減を実現可能なピンジャック構造を提供する。【解決手段】バックライトシールド２０は、スチール等の金属板を所望の形状に加工したものであって、シールド部２１とジャック・グランド部２２とを備える。ジャック・グランド部２２は、シールド部２１の一部を所望の筒状形状にプレス加工された構造である。ここでは、ジャック・グランド部２２は、第１〜第３のジャック・グランド部２２ａ〜２２ｃを有している。そして、第１〜第３の信号ピン４０ａ〜４０ｃが収容された状態で、第１〜第３の色付き絶縁部３０ａ〜３０ｃは、第１〜第３のジャック・グランド部２２ａ〜２２ｃの筒状形状の内部に収容される。【選択図】図２
2011228016.tif 000002
【特許請求の範囲】
【請求項１】
外周部分がグランド端子であり、内部に信号ピン端子を備えたピンジャック構造であって、
前記グランド端子は、金属板のシャーシ又は金属板のシールドの一部を筒状の形状に加工して形成され、
前記筒状の形状の内部に、前記信号ピン端子を内部に備える絶縁部材を有している
ことを特徴とするピンジャック構造。
【請求項２】
前記金属板のシャーシ又は前記金属板のシールドは、液晶表示装置のバックライトモジュールのシールドであって、
前記信号ピン端子が取り付けられる回路基板が、前記バックライトモジュールの内側に配置されることを特徴とする請求項１に記載のピンジャック構造。
【発明の詳細な説明】
【技術分野】
【０００１】
本発明は、電子機器のピンジャック構造に係り、例えば、液晶表示装置のような薄型表示装置等の電子機器に好適なピンジャック構造に関する。
【背景技術】
【０００２】
近年、ＨＤＭＩ（High-Definition Multimedia Interface）規格のような新たな規格のコネクタ端子の形状は、従来と比べて非常に小型化され、多くの電化製品に利用されるようになっている。一方で、仕向地によっては、テレビやモニターにおいて、依然としてＲＣＡタイプのピンジャックは必須の構成となっている場合が多い。また、現在は、テレビやモニターとして液晶パネルが用いられることが多く、さらに、薄型化が進んでいる。
【０００３】
図７に、従来のＲＣＡタイプのピンジャックコネクタ構造（以下、単に「コネクタ構造」ともいう）を模式的に示す。図示のように、従来のジャック端子１１０は、（１）ジャックの色（赤、白、黄等）を示す部品である色部品１３３ａ〜１３３ｃ、（２）基板１５０の配線パターンに電気的に接続される信号ピン１４０ａ〜１４０ｃ、（３）信号ピン１４０ａ〜１４０ｃを取り付け固定する構造となる絶縁部１３１ａ〜１３１ｃ、（４）グランドの部品であるグランド端子１２０ａ〜１２０ｃ、から構成されている。そして、グランド端子１２０ａ〜１２０ｃを所望に固定するために、絶縁部１３１ａ〜１３１ｃの一部が筒状形状１３２ａ〜１３２ｃを呈している。さらにまた、基板１５０は、例えば、バックライトシャーシ（バックライトシールド）１６０等に取り付けられ、さらにバックライトシャーシの外側（図示上側）には、バックキャビネットが取り付けられる。
【０００４】
ところで、テレビやモニターとして使用される薄型表示装置の価格競争が熾烈を極めていることは周知の通りである。このような環境の中、製造各社は様々な技術を投入してコスト低減を図っている。
【０００５】
例えば、半田工程を行う前にピンジャックの正規実装姿勢を確保しつつ、複数個のピンジャックを不揃い無く横並びに実装する技術が開示されている。具体的には、複数個のピンジャックそれぞれの電極端子を、配線基板の複数箇所の端子孔に挿入してピンジャックを横並び配列する。そして、立ち基板の突片部を配線基板の孔部に差し込むことによってその立ち基板を配線基板から立ち上げる。立ち基板は捨て基板を利用して切り出されている。さらに、立ち基板にピンジャックの後端面を重ね合わせることによってピンジャックを正規実装姿勢に保持させた後に、リフロー半田工程がなされる。
【先行技術文献】
【特許文献】
【０００６】
【特許文献１】特開２００７−２２７０５３号公報
【発明の概要】
【発明が解決しようとする課題】
【０００７】
ところで、上述のごとく製品の薄型化の要請は非常に強いが、現状では液晶テレビ等では、液晶パネルモジュール上（バックライトモジュール上）に基板を置く構造のため、パネルモジュールとピンジャックなどを合わせた厚さを下回ることが出来ない。またコスト競争が著しく、各部品単位でも新しい構造を用いてのコストダウンが必要となっている。したがって、特許文献１の開示の技術では、薄型化及び部品点数低減の観点では改善の余地があり、別の技術が求められていた。
【０００８】
本発明の目的は、上記課題に鑑み、電子機器において薄型化及び部品点数低減を実現可能なピンジャック構造を提供することにある。
【課題を解決するための手段】
【０００９】
本発明に係る装置は、外周部分がグランド端子であり、内部に信号ピン端子を備えたピンジャック構造であって、前記グランド端子は、金属板のシャーシ又は金属板のシールドの一部を筒状の形状に加工して形成され、前記筒状の形状の内部に、前記信号ピン端子を内部に備える絶縁部材を有している。
また、前記金属板のシャーシ又は前記金属板のシールドは、液晶表示装置のバックライトモジュールのシールドであって、前記信号ピン端子が取り付けられる回路基板が、前記バックライトモジュールの内側に配置されてもよい。
【発明の効果】
【００１０】
本発明によれば、電子機器において薄型化及び部品点数低減を実現可能なピンジャック構造を提供することができる。
【図面の簡単な説明】
【００１１】
【図１】発明の実施形態に係る、液晶テレビの分解斜視図である。
【図２】発明の実施形態に係る、ジャック端子の構造を示す分解斜視図である。
【図３】発明の実施形態に係る、ジャック端子の構造を示す側面図である。
【図４】発明の実施形態に係る、ジャック端子の構造を示す断面図である。
【図５】発明の実施形態に係る、ジャック端子の構造を拡大して示す断面図である。
【図６】発明の実施形態に係る、ジャック端子の構造を拡大して示す断面図である。
【図７】従来技術に係る、一般的なＲＣＡタイプのピンジャック構造を示した図である。
【発明を実施するための形態】
【００１２】
次に、本発明を実施するための形態（以下、単に「実施形態」という）を、図面を参照して具体的に説明する。本実施形態では、ピンジャックコネクタの構造としてＲＣＡタイプを想定する。そして、グランド端子になる部分を、金属板であるバックライトシールドの一部をプレス加工等して共用利用し、さらに、端子が設けられる回路基板は、バックライトシールドの内側に配置される。以下、詳細に説明する。
【００１３】
図１は、本実施形態に係る液晶テレビ１の背面から見た分解斜視図を模式的に示している。図示のように、液晶テレビ１は、表示ユニット３をフロントキャビネット４とバックキャビネット２で覆うように配置される構造となっている。
【００１４】
そして、表示ユニット３は、液晶パネルユニット５とバックライトユニット６とを備えて構成されている。バックライトユニット６は、図２で後述するバックライトシールド２０、反射板６０と、光源である蛍光灯（冷陰極管）のランプ等を備えている。さらに、バックライトシールド２０には、各種の電気回路を構成する回路基板が取り付けられている。そして、本実施形態で特徴的な構成として、端子付き基板５０がバックライトシールド２０の内側に取り付けられており（図１で破線で図示する）、バックライトシールド２０の構成の一部と、端子付き基板５０の構成の一部とによって、ＲＣＡタイプのジャック端子１０が構成されている。
【００１５】
図２は、ジャック端子１０の構造を示す分解斜視図を示している。また、図３はジャック端子１０の側面図、図４は断面図（一部側面図）を示している。このジャック端子１０は、赤色、白色、黄色の各色で区別される第１〜第３のジャック端子１０ａ〜１０ｃで構成されている。なお、第１〜第３のジャック端子１０ａ〜１０ｃを区別しないときは、単にジャック端子１０と称する。
【００１６】
ジャック端子１０は、ジャック・グランド部２２と、色付き絶縁部３０と、信号ピン４０とを備えている。つまり、第１〜第３のジャック端子１０ａ〜１０ｃは、それぞれ、第１〜第３のジャック・グランド部２２ａ〜２２ｃと、第１〜第３の色付き絶縁部３０ａ〜３０ｃと、第１〜第３の信号ピン４０ａ〜４０ｃとを備えている。
【００１７】
本実施形態では、図７の従来技術で示したグランド端子１２０ａ〜１２０ｃの機能を、バックライトシールド２０が備える。つまり、バックライトシールド２０は、スチール等の金属板を所望の形状に加工したものであって、シールド部２１とジャック・グランド部２２とを備える。ジャック・グランド部２２は、シールド部２１の一部を所望の筒状形状にプレス加工された構造である。ここでは、ジャック・グランド部２２は、第１〜第３のジャック・グランド部２２ａ〜２２ｃを有している。
【００１８】
第１〜第３の色付き絶縁部３０ａ〜３０ｃは、それぞれ、赤色、白色、黄色の樹脂材の略筒状形状を有し、内部に第１〜第３の信号ピン４０ａ〜４０ｃが収容され固定される。なお、第１〜第３の色付き絶縁部３０ａ〜３０ｃの各色は、どのような態様で付されたものでもよく、樹脂材自体の色をそれぞれに調整してもよいし、塗料等で色を付してもよい。そして、第１〜第３の信号ピン４０ａ〜４０ｃがそれぞれ収容された状態で、第１〜第３の色付き絶縁部３０ａ〜３０ｃは、第１〜第３のジャック・グランド部２２ａ〜２２ｃの筒状形状の内部にそれぞれ収容される。
【００１９】
第１〜第３の信号ピン４０ａ〜４０ｃは、端子付き基板５０に固定され、所望の配線パターンに電気的に接続される。
【００２０】
つづいて、図５及び図６を参照して、詳細に説明する。図５は、ジャック端子１０の断面構造について各部品を分離した状態で示しており、図６は各部品が一体に組み付けられた状態を示している。なお、図示上側が液晶テレビ１の外側に対応し、図示下側が液晶テレビ１の内側に対応する。
【００２１】
図示のように、バックライトシールド２０のシールド部２１の一部が、プレス加工（絞り加工）等によって、外側（図示上側に）に凸状の略円筒形状となっている。この円筒形状部分が、ジャック・グランド部２２となっている。ジャック・グランド部２２の内側には、色付き絶縁部３０を収容可能な絶縁収容部２６が形成されている。絶縁収容部２６の高さ、つまり突出量は、ジャック端子１０に挿入・嵌合されるＲＣＡピン端子及びジャック端子１０の設置態様に対応して設定され、例えば、１５ｍｍ程度に設定される。そして、頂面部２４には、所定大きさの円形の開口２５が設けられている。開口２５の大きさは、色付き絶縁部３０が収容された状態で、色付き絶縁部３０の頂面部３１が若干露出し、その色が認識可能になっている。
【００２２】
色付き絶縁部３０は、絶縁収容部２６に収容可能な外径の略筒状形状となっている。また、略筒状形状の内部には信号ピン４０が収容可能になっている。さらに、色付き絶縁部３０の頂面部３１には所定大きさの円形の開口３２が形成されている。開口３２の外径は、ジャック端子１０に挿入されるＲＣＡピン端子のピン部（図示せず）が挿入可能な大きさになっている。そして、ＲＣＡピン端子のピン部が挿入されると、ピン接触部４１で電気的接続がなされる。
【００２３】
このように、本実施形態のジャック端子１０は、バックライトシールド２０の一部が加工されシールド部２１と連続して形成されているジャック・グランド部２２と、色付き絶縁部３０と、信号ピン４０から構成される。そして、ジャック・グランド部２２がグランド（接地）端子として機能する。ここで、バックライトシールド２０では、グランド端子を共用していない従来技術の形状であっても各種の所望の形状にするためにプレス加工等がなされていることから、ジャック・グランド部２２の追加に伴う工数増加は実質的に発生しない。その結果、部品点数の低減及びそれに伴う組み付け工程数の低減が実現でき、大幅なコスト低減を実現できる。さらに、バックライトシールド２０の内面側、つまりバックライトシールド２０と反射板６０の間に、端子付き基板５０等を配置することができるため、液晶テレビ１の薄型化の設計自由度が大幅に増加する。さらにまた、金属板であるバックライトシールド２０の一部にジャック・グランド部２２を設けることにより、ＲＣＡピン端子の取付及び取り外しに伴う外力、特にこじりに対して強くなる。
【００２４】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。例えば、ＲＣＡタイプのピンジャックに限らず、同様の構造で、接地端子が外周面に設けられているような接続端子の種類、例えば、ＢＮＣタイプのピンジャックにも利用出来る。
【符号の説明】
【００２５】
１  液晶テレビ
２  バックキャビネット
３  表示ユニット
４  フロントキャビネット
１０  ジャック端子
１０ａ〜１０ｃ  第１〜第３のジャック端子
２０  バックライトシールド
２１  シールド部
２２  ジャック・グランド部
２２ａ〜２２ｃ  第１〜第３のジャック・グランド部
２４  頂面部
２５  開口
３０  色付き絶縁部
３０ａ〜３０ｃ  第１〜第３の色付き絶縁部
３１  頂面部
３２  開口
４０  信号ピン
４０ａ〜４０ｃ  第１〜第３の信号ピン
５０  端子付き基板
【図１】
2011228016.tif 000003
【図２】
2011228016.tif 000004
【図３】
2011228016.tif 000005
【図４】
2011228016.tif 000006
【図５】
2011228016.tif 000007
【図６】
2011228016.tif 000008
【図７】
2011228016.tif 000009